(57)【要約】振動制御システム用のデジタル処理リンクが、中継局でセンサ信号を収集し、これらのセンサ信号を結合して集合的信号にして、デジタル通信プロトコルに基づいて基地局に送信する。これらのセンサ信号を基地局で分離し、個別に処理して、アクチュエータへの１つ以上の出力制御信号を生成して、測定した振動に対抗する。
2012502365.tif 000002
【特許請求の範囲】
【請求項１】
振動を調整する運動制御システムであって、
振動についての情報を取得するための複数のセンサと、
前記振動に対抗するためのアクチュエータと、
前記センサから取得した情報を処理し、前記振動に対抗するように前記アクチュエータを制御するコントローラと、
前記複数のセンサと前記コントローラとの間のデジタル処理リンクとを備え、
前記デジタル処理リンクは、
前記センサからの信号どうしを結合して集合的信号にするマルチプレクサ／デマルチプレクサ、及び前記集合的信号を通信プロトコルに基づいて送信する通信ノードを含む中継局と、
前記集合的信号を前記通信プロトコルに基づいて受信する他の通信ノード、及び前記集合的信号を別個に処理可能な複数のデジタル信号に分割するデマルチプレクサ／マルチプレクサを含む基地局と、
前記中継局と前記基地局とを相互接続するデータ送受信ラインとを備え、
前記コントローラは、前記基地局からの前記デジタル信号を処理し、前記アクチュエータを制御するための制御信号を出力して前記振動を調整するように構成されていることを特徴とする運動制御システム。
【請求項２】
前記基地局の前記通信ノードは、前記通信プロトコルに基づいて、前記アクチュエータ用の前記制御信号を送信することを特徴とする請求項１に記載の運動制御システム。
【請求項３】
前記基地局の前記通信ノードは、前記アクチュエータ用の前記制御信号を、前記データ送受信ライン上で前記中継局の前記通信ノードに送信すること特徴とする請求項２に記載の運動制御システム。
【請求項４】
（ａ）前記アクチュエータが複数のアクチュエータのうちの１つであり、
（ｂ）前記コントローラが複数の制御信号を出力し、
（ｃ）前記基地局の前記デマルチプレクサ／マルチプレクサが、前記複数の制御信号を結合して単一の集合的制御信号にして、前記データ送受信ライン上で送信し、
（ｄ）前記中継局の前記マルチプレクサ／デマルチプレクサが、前記集合的制御信号を複数の制御信号に分割して、前記複数のアクチュエータに指向させることを特徴とする請求項３に記載の運動制御システム。
【請求項５】
前記アクチュエータが複数のアクチュエータのうちの１つであり、
前記運動制御システムが、前記基地局と、前記複数のアクチュエータを前記基地局と相互接続する第２中継局との間の第２デジタル処理リンクを更に備えていることを特徴とする請求項１に記載の運動制御システム。
【請求項６】
前記基地局の前記デマルチプレクサ／マルチプレクサが、前記アクチュエータ用の出力制御信号どうしを結合して集合的出力制御信号にし、前記基地局の前記通信ノードが、前記集合的出力制御信号を、前記通信プロトコルに基づいて前記第２中継局に送信することを特徴とする請求項５に記載の運動制御システム。
【請求項７】
前記第２中継局の通信ノードが、前記集合的出力制御信号を受信し、前記第２中継局のマルチプレクサ／デマルチプレクサが、前記集合的出力制御信号を、前記アクチュエータへの複数の制御信号に分割すること特徴をとする請求項６に記載の運動制御システム。
【請求項８】
前記基地局に関連し、前記データ送受信ライン上で電力を伝送するための電源と、
前記中継局に関連し、前記データ送受信ライン上で電力を受け、この電力を調整して前記センサのうちの１つ以上に伝達する変圧器と
を更に備えていることを特徴とする請求項１に記載の運動制御システム。
【請求項９】
前記中継局の前記通信ノードが、前記集合的制御信号を、送信誤りを監視して再送信するための所定フォーマットを有する一連のフレームに変換することを特徴とする請求項１に記載の運動制御システム。
【請求項１０】
前記中継局の前記通信ノードが、前記集合的制御信号のエネルギー量を前記データ送受信ライン上で時間的に拡散させて、電気的妨害を低減することを特徴とする請求項９に記載の運動制御システム。
【請求項１１】
前記中継局の前記通信ノードが、雷サージを伝送することを回避するための断路器を含むことを特徴とする請求項１０に記載の運動制御システム。
【請求項１２】
前記中継局が、前記センサからのアナログ信号をデジタル信号に変換するアナログ−デジタル変換器を含むことを特徴とする請求項１に記載の運動制御システム。
【請求項１３】
前記アクチュエータが、電気コイルの影響下で、回転軸の周りに相対的に角度位置決め可能な２つ以上の偏心質量を含むことを特徴とする請求項１に記載の運動制御システム。
【請求項１４】
前記複数のセンサが、振動を測定する加速度計、及び前記偏心質量の相対的な角度位置を測定するための他のセンサを含むことを特徴とする請求項１３に記載の運動制御システム。
【請求項１５】
前記アクチュエータが、１つ以上の同調周波数で力を増幅することを特徴とする請求項１に記載の運動制御システム。
【請求項１６】
前記アクチュエータが、回転軸の周りに回転可能な１つ以上の偏心質量を含むことを特徴とする請求項１５に記載の運動制御システム。
【請求項１７】
前記アクチュエータが、直線軸に沿って往復運動可能な並進可能質量を含むことを特徴とする請求項１５に記載の運動制御システム。
【請求項１８】
前記複数のセンサが、振動を検出するために用いる加速度計を含むことを特徴とする請求項１に記載の運動制御システム。
【請求項１９】
前記中継局が、当該中継局と前記複数のセンサとの間の平均距離を低減するように配置されていることを特徴とする請求項１８に記載の運動制御システム。
【請求項２０】
回転可能なシャフト用の能動平衡器であって、
前記回転可能なシャフトの回転軸に対して位置決め可能な１つ以上の偏心質量と、
前記回転可能なシャフトの前記回転軸に対して前記１つ以上の偏心質量を再位置決めするドライバと、
１つ以上の回転センサを１つ以上の振動センサと共に含み、前記回転可能なシャフトの性能特性を監視するための複数のセンサと、
前記センサから取得した情報を処理して、前記回転可能なシャフト内の振動を低減するように前記ドライバの動作を制御するコントローラと、
前記センサからの情報を収集する中継局、及び前記コントローラに接続された基地局と、
送信誤りを監視して再送信するための所定フォーマットで、前記中継局と前記基地局との間でデータを送受信するための通信プロトコルと、
を備えていることを特徴とする能動平衡器。
【請求項２１】
前記ドライバが、前記複数のセンサのうちの１つ以上が内部に組み込まれたコイルブロックの一部分として形成されていることを特徴とする請求項２０に記載の能動平衡器。
【請求項２２】
前記複数のセンサが、前記１つ以上の偏心質量の位置を監視するための１つ以上のセンサを前記コイルブロック内に含むことを特徴とする請求項２１に記載の能動平衡器。
【請求項２３】
前記中継局が、前記センサからの信号どうしを結合して集合的信号にするマルチプレクサ／デマルチプレクサ、及び前記集合的信号を前記通信プロトコルに基づいて送信する通信ノードを含むことを特徴とする請求項２０に記載の能動平衡器。
【請求項２４】
前記基地局が、前記集合的信号を前記通信プロトコルに基づいて受信する他の通信ノード、及び前記集合的信号を別個に処理可能な複数のデジタル信号に分割するデマルチプレクサ／マルチプレクサを備えていることを特徴とする請求項２３に記載の能動平衡器。
【請求項２５】
前記中継局と前記基地局とを接続し、前記通信プロトコルに基づいて情報を交換するためのデータ送受信ラインと、
前記基地局に関連し、前記データ送受信ライン上で前記中継局に電力を伝送するための電源と
を更に備えていることを特徴とする請求項２０に記載の能動平衡器。
【請求項２６】
前記中継局から前記複数のセンサのうちの１つ以上への電力伝送経路を更に備えていることを特徴とする請求項２５に記載の能動平衡器。
【請求項２７】
回転部材を支持する構造内の振動を最小化する能動振動制御システムであって、
前記構造に装着され、振動を監視するための複数のセンサと、
可動質量を同調周波数で駆動する１つ以上のアクチュエータと、
前記複数のセンサから情報を受信し、検出した前記構造内の振動を相殺するように前記１つ以上のアクチュエータの動作を制御するコントローラと、
前記センサからの情報を収集する中継局、及び前記コントローラに接続された基地局と、
送信誤りを監視して再送信するための所定フォーマットで、前記中継局と前記基地局との間でデータを送受信するための通信プロトコルと
を備えていることを特徴とする能動振動制御システム。
【請求項２８】
前記センサと前記中継局との間の平均距離を低減するために、前記中継局が前記センサ間の中心に配置されていることを特徴とする請求項２７に記載の能動振動制御システム。
【請求項２９】
前記中継局と前記基地局とを接続し、前記通信プロトコルに基づいて情報を転送するためのデータ送受信ラインと、
前記基地局に関連し、前記データ送受信ライン上で前記中継局に、データに加えて電力を伝送するための電源と
を更に備えていることを特徴とする請求項２７に記載の能動振動制御システム。
【請求項３０】
前記中継局から前記複数のセンサのうちの１つ以上への、１つ以上の電力伝送経路を更に備えていることを特徴とする請求項２９に記載の能動振動制御システム。
【請求項３１】
前記中継局が、前記センサからの信号どうしを結合して集合的信号にするマルチプレクサ／デマルチプレクサ、及び前記集合的信号を前記通信プロトコルに基づいて送信する第１通信ノードを含むことを特徴とする請求項２７に記載の能動振動制御システム。
【請求項３２】
前記基地局が、前記集合的信号を前記通信プロトコルに基づいて受信する第２通信ノード、及び前記集合的信号を別個に処理可能な複数のデジタル信号に分割するデマルチプレクサ／マルチプレクサを含むことを特徴とする請求項３１に記載の能動振動制御システム。
【請求項３３】
振動に対抗する方法であって、
複数のセンサを用いて振動を監視するステップと、
前記複数のセンサから信号を出力して、前記振動についての情報を伝達するステップと、
中継局において、前記センサからの前記信号どうしを結合して集合的信号にするステップと、
前記集合的信号を、データ送受信ライン上で、通信プロトコルに基づいて、送信誤りを監視して再送信するための所定フォーマットで送信するステップと、
コントローラに関連する基地局において、前記集合的信号を前記通信プロトコルに基づいて受信するステップと、
前記基地局に関連する電源からの電力を、前記データ送受信ライン上で前記中継局に伝送するステップと、
前記電力を、前記中継局から前記センサのうちの１つ以上に分配するステップと、
前記基地局において受信した前記集合的信号を、処理可能な複数のデジタル信号に分割するステップと、
前記デジタル信号を前記コントローラ内で処理するステップと、
前記コントローラからの信号を、前記監視中の振動に対抗するためのアクチュエータに対して出力するステップと
を含むことを特徴とする方法。
【請求項３４】
最適化検討の結果に応じて、前記センサを分布させるステップを含むことを特徴とする請求項３３に記載の方法。
【請求項３５】
前記センサ間に前記中継局を配置して、前記センサと前記中継局との間の平均距離を低減するステップを含むことを特徴とする請求項３３に記載の方法。
【請求項３６】
前記集合的信号を送信するステップが、前記集合的信号を、送信誤りを監視して再送信するための所定フォーマットを有する一連のフレームに変換することを含むことを特徴とする請求項３３に記載の方法。
【請求項３７】
前記集合的信号を送信するステップが、前記集合的信号のエネルギー量を前記データ送信ライン上で時間的に拡散して、妨害を低減することを含むことを特徴とする請求項３３に記載の方法。
【請求項３８】
前記センサからのアナログ信号をデジタル信号に変換するステップを含むことを特徴とする請求項３３に記載の方法。
【請求項３９】
振動を調整する振動制御システムを作製する方法であって、
振動についての情報を取得するための複数のセンサを配置するステップと、
前記振動に対抗するためのアクチュエータを用意するステップと、
前記センサから取得した情報を処理して、前記振動に対抗するように前記アクチュエータを制御するコントローラを用意するステップと、
前記複数のセンサと前記コントローラとの間にデジタル処理リンクを確立するステップであって、
中継局において、前記センサからの信号どうしを結合して集合的信号にし、この集合的信号を、前記中継局から通信プロトコルに基づいて送信するサブステップと、
基地局において、前記集合的信号を前記通信プロトコルに基づいて受信し、前記集合的信号を別個に処理可能な複数のデジタル信号に分割するサブステップとを含むステップと、
前記基地局からのデジタル信号を前記コントローラで処理し、前記アクチュエータを制御するための制御信号を出力して前記振動を調整するステップと
を含むことを特徴とする方法。
【請求項４０】
前記中継局を前記センサ間に配置して、前記センサと前記中継局との間の平均距離を低減するステップを含むことを特徴とする請求項３９に記載の方法。
【請求項４１】
前記コントローラと前記アクチュエータの間にデジタル処理リンクを確立するステップを含むことを特徴とする請求項３９に記載の方法。
【請求項４２】
前記アクチュエータが複数のアクチュエータのうちの１つであり、
前記コントローラと前記アクチュエータとの間に前記デジタル処理リンクを確立するステップが、前記基地局において、前記コントローラからの出力制御信号どうしを結合して集合的出力制御信号にし、この集合的出力制御信号を、前記通信プロトコルに基づいて前記基地局から送信することを含むことを特徴とする請求項４１に記載の方法。
【請求項４３】
前記コントローラと前記アクチュエータとの間に前記デジタル処理リンクを確立するステップが、前記中継局において、前記集合的出力制御信号を前記通信プロトコルに基づいて受信し、前記集合的出力制御信号を、前記アクチュエータへの複数の個別制御信号に分割することを含むことを特徴とする請求項４２に記載の方法。
【請求項４４】
前記コントローラと前記アクチュエータとの間に前記デジタル処理リンクを確立するステップが、第２中継局において、前記集合的出力制御信号を前記通信プロトコルに基づいて受信し、前記集合的出力制御信号を前記アクチュエータへの複数の個別制御信号に分割することを含むことを特徴とする請求項４２に記載の方法。
【請求項４５】
機械の振動を制御する方法であって、
機械の回転可能シャフト用の能動平衡器を動作させるステップであって、前記機械の回転可能シャフトは、当該機械の回転可能シャフトの回転軸に対して位置決め可能な１つ以上の偏心質量を有するステップと、
１つ以上の回転センサを１つ以上の振動センサと共に含む複数のセンサを用いて、前記機械の回転可能シャフトの振動特性を監視するステップと、
中継局において、前記センサからの情報を収集し、前記収集した情報を、基地局を通してコントローラに送信するステップと、
前記中継局と前記基地局との間で、通信プロトコルに基づいて、送信誤りを監視して再送信するための所定フォーマットでデータを送受信するステップと、
前記センサから取得した前記情報を前記コントローラで処理して、前記コントローラから前記能動平衡器用の制御信号を出力するステップと、
前記制御信号に応答して、前記能動平衡器の前記１つ以上の偏心質量を、前記機械の回転可能シャフトの前記回転軸に対して再位置決めして、前記機械の回転可能シャフト内の振動を低減するステップと
を備えていることを特徴とする方法。
【請求項４６】
航空機構造内の複数の振動を制御する方法であって、
前記航空機構造に装着された複数のセンサを用いて、前記航空機構造内の振動を監視するステップと、
中継局において、前記センサからの情報を収集し、前記収集した情報を、コントローラに接続された基地局に送信するステップと、
前記中継局と前記基地局との間で、通信プロトコルに基づいて、送信誤りを監視して再送信するための所定フォーマットでデータを送受信するステップと、
前記複数のセンサからの前記情報を前記コントローラで処理して、可動質量を同調周波数で駆動する１つ以上のアクチュエータに対して制御信号を出力するステップと、
前記１つ以上のアクチュエータを前記同調周波数で動作させて、検出した前記航空機構造内の振動を相殺して、前記航空機構造内の振動を調整するステップと
を含むことを特徴とする方法。
【発明の詳細な説明】
【技術分野】
【０００１】
（関連出願のクロスリファレンス）
本願は、２００８年９月６日出願の米国特許仮出願第６１／０９４８９５６号（特許文献１）に基づいて優先権を主張し、この特許仮出願は参考文献として本明細書に含める。
【０００２】
本発明は一般に、特に航空宇宙産業及び工作機械産業用途向けの、継続的な振動に対抗する能動（アクティブ）振動システム、及び振動の発生に対抗する能動平衡システムに関するものであり、センサ、コントローラ、及びアクチュエータ間のリンクのようなシステム内の電力及び通信リンクを含む。
【背景技術】
【０００３】
能動振動システム及び能動平衡システムは一般に、振動、運動、及び他の環境または性能変数を検出して、アクチュエータを制御するシステムコントローラにフィードバックを供給するための複数のセンサを必要とする。例えば、加速度計は振動を監視し、タコメータは、振動の発生に関連するプロペラまたは機械軸のような回転部分の速度を監視し、位置センサはアクチュエータの動作性能を監視する。
【先行技術文献】
【特許文献】
【０００４】
【特許文献１】米国特許仮出願第６１／０９４８９５６号明細書
【特許文献２】米国特許第５７５７６６２号明細書
【特許文献３】米国特許第６２３６９３４号明細書
【非特許文献】
【０００５】
【非特許文献１】S. W. Dyer, W. Winzenz, and G. Billoud, ”Active In-Process Balanshing”, Proceedings of XIIIth Symposium Vibrations, Shocks & Noise, Lyon France, 2002
【発明の概要】
【発明が解決しようとする課題】
【０００６】
センサに電力を供給し、特に長距離にわたってセンサからのデータを伝達するための、センサに至る配線は、能動振動システム及び能動平衡システムに大幅な重量及び体積を加え、伝送に対して環境の電磁的影響を与え得る。センサからの、低信号レベルでの、あるいは長い配線長にわたる伝送は、特にこうした電磁的外乱の影響を受けやすい。能動振動システムまたは能動平衡システムを必要とする工作機械及び航空機の環境は、短い移動距離にわたるセンサデータの伝送でさえも乱し得る強い電磁界を含むことが多い。アクチュエータ、特にそのコントローラから分離されたアクチュエータ、または介在する電磁界の影響を受けやすいアクチュエータとのデータ交換についても、同様の問題が存在し得る。
【課題を解決するための手段】
【０００７】
本発明の好適な実現は、局所的な電磁的外乱、電気サージ、及び他の環境影響にほとんど影響されないデジタルプロトコルに基づいて、センサ群と、能動振動システム及び能動平衡システムのコントローラとの間の安全なデータ交換を提供する。多数のセンサからの信号が、中継局においてデジタルプロトコルに基づいて結合され、コントローラに関連する基地局への共通配線対上で一緒に伝送される。これらの配線対は、データの送信及び受信用の配線対を共に含むことが好ましく、デジタルプロトコルに従ったエラーチェック通信も伝達し、送信電力も供給する。多数のセンサからの信号が同じ配線対上で集合的に伝送されるが、伝送速度を増加させつつ、伝送のエネルギー量をより均等に拡散させて、電磁波妨害の発生を低減することができ、さもなければこの電磁波妨害は他の通信に悪影響し得る。
【０００８】
振動を調整する運動制御システムとしての本発明の１つの実現は、振動についての情報を取得する複数のセンサ、振動に対抗するアクチュエータ、及びセンサから取得した情報を処理すると共に、振動に対抗するようにアクチュエータを制御するコントローラという通常の特徴を含む。これに加えて、この運動制御システムは、複数のセンサとコントローラとの間のデジタル処理リンクを特徴とする。このデジタル処理リンクは、センサに関連する中継局及びコントローラに関連する基地局を含む。中継局は、センサからの信号どうしを結合して集合的信号にするマルチプレクサ／デマルチプレクサ、及びこの集合的信号を通信プロトコルに基づいて送信する通信ノードを含む。基地局は、この集合的信号を通信プロトコルに基づいて受信する他の通信ノードと、この集合的信号を複数の個別処理可能なデジタル信号に分割するデマルチプレクサ／マルチプレクサを含む。データ送受信ラインは、中継局と基地局とを相互接続する。上記コントローラは、基地局からのデジタル信号を処理して、アクチュエータを制御して振動を調整するための制御信号を出力する。
【０００９】
基地局の通信ノードも、通信プロトコルに基づいてアクチュエータ用の制御信号を送信するように構成されている。アクチュエータはセンサの付近に配置され、例えば能動平衡システム内に見出され、基地局の通信ノードは、アクチュエータへの制御信号を、データ送受信ライン上で中継局の通信ノードに送信する。アクチュエータは、複数のアクチュエータの１つとすることができ、コントローラは、複数の制御信号を出力するように構成することができる。基地局のデマルチプレクサ／マルチプレクサは、複数の制御信号を結合して、データ送受信ライン上での伝送用の集合的制御信号にし、中継局のマルチプレクサ／デマルチプレクサは、この集合的制御信号を、複数のアクチュエータに別個に指向させることのできる複数の制御信号に分割する。
【００１０】
アクチュエータは、複数のアクチュエータの１つとすることができ、これら複数のアクチュエータを基地局と相互接続するための第２デジタルリンクを、同じ基地局と第２中継局との間に設けることができる。基地局のデマルチプレクサ／マルチプレクサは、複数のアクチュエータ用の出力制御信号どうしを結合して集合的出力制御信号にし、基地局の通信ノードは、この集合的出力制御信号を通信プロトコルに基づいて第２中継局に送信する。第２中継局の通信ノードは、この集合的出力制御信号を受信し、第２中継局のマルチプレクサ／デマルチプレクサは、この集合的出力制御信号を、複数のアクチュエータ用の複数の制御信号に分割する。
【００１１】
上記デジタル処理リンクは、基地局と中継局との間の電力伝送用に用いることができる。基地局に関連する電源をデータ送受信ラインに結合して、中継局に電力を伝送することができる。中継局の変圧器は、データ送受信ライン上で電力を受け、この電力を、1つ以上のセンサへの伝達用に調整する。
【００１２】
中継局の通信ノードは、上記集合的信号を、送信誤りを監視して再送信するための所定フォーマットを有する一連のフレームに変換することが好ましい。これに加えて、中継局の通信ノードは、上記集合的信号のエネルギー量を上記データ送受信ライン上に拡散させて、電気的妨害を低減することが好ましい。中継局の通信ノードは、雷サージを伝送することを回避するための、断路形式の保護回路も含むことが好ましい。中継局は、センサからのアナログ信号をデジタル信号に変換するアナログ−デジタル変換器を含むことができる。
【００１３】
アクチュエータは、1つ以上の同調周波数でエネルギーを増幅することが好ましい。例えば、アクチュエータは、回転軸の周りを回転可能な1つ以上の偏心質量、あるいは直線軸に沿って往復運動可能な並進可能質量を含むことができる。上記複数のセンサは、振動を検出するために用いられる加速度計を含むことができる。中継局は、この中継局と複数のセンサとの間の平均距離を低減するように配置することが好ましい。
【００１４】
本発明の、回転可能シャフト用の能動平衡器（アクティブバランサ）としての他の実現は、回転可能シャフトの回転軸に対して位置決め可能な１つ以上の偏心質量を含む。ドライバ（駆動装置）は、これら1つ以上の偏心質量を、回転可能シャフトの回転軸に対して再位置決めする。1つ以上の回転センサを1つ以上の振動センサと共に含む複数のセンサが、回転可能シャフトの性能特性を監視する。コントローラは、センサから取得した情報を処理して、回転可能シャフト内の振動を低減するようにドライバの動作を制御する。中継局はセンサからの情報を収集し、基地局はコントローラに接続されている。データは、中継局と基地局の間で通信プロトコルに基づいて送信及び受信され、このプロトコルは、送信誤りの監視及び再送信も提供する。
【００１５】
ドライバは、上記複数のセンサの1つ以上が内部に組み込まれたコイルブロックの一部分として形成することができる。これら複数のセンサは、上記1つ以上の偏心質量の位置を監視するための1つ以上のセンサをコイルブロック内に含むことが好ましい。
【００１６】
中継局は、複数センサからの信号を結合して集合的信号にするマルチプレクサ／デマルチプレクサ、及びこの集合的信号を通信プロトコルに基づいて送信する通信ノードを含むことが好ましい。基地局は、この集合的信号を通信プロトコルに基づいて受信する他の通信ノード、及びこの集合的信号を別個に処理可能な複数のデジタル信号に分割するデマルチプレクサ／マルチプレクサを含むことが好ましい。データ送受信ラインは、通信プロトコルに基づいて情報を交換するために中継局と基地局とを相互接続することが好ましく、基地局に関連する電源は、電力を送受信ライン上で伝送して中継局に供給することが好ましい。
【００１７】
本発明の、能動平衡制御システムとしてのさらの他の実現は、回転用部材を支持する構造内の振動を最小化する。この構造に装着した複数のセンサは振動を監視する。１つ以上のアクチュエータが、各可動質量をそれぞれの同調周波数で駆動する。コントローラが、複数のセンサから情報を受信して、検出した構造内の振動を相殺するように1つ以上のアクチュエータの動作を制御する。センサからの情報を取集する中継局とコントローラに接続された基地局とが、通信プロトコルに基づいて、送信誤りを監視して再送信するための所定フォーマットで情報を交換する。
【００１８】
本発明は、振動に対抗する方法として実現することもできる。複数のセンサを用いて複数の振動を監視する。複数のセンサから出力される信号が、振動についての情報を伝達する。これらのセンサからの信号を中継局で結合して集合的信号にし、この集合的信号を、通信プロトコルに基づいて、送信誤りを監視して再送信するための所定フォーマットで、データ送受信ライン上で送信する。この集合的信号を、コントローラに関連する基地局で、通信プロトコルに基づいて受信する。基地局に関連する電源からの電力も、データ送受信ライン上で中継局に伝送する。中継局で受信した電力を、上記センサの1つ以上に分配する。基地局で受信した上記集合的信号を、複数の処理可能なデジタル信号に分割する。このデジタル信号をコントローラ内で処理し、信号をコントローラからアクチュエータに対して出力して、監視中の振動に対抗する。
【００１９】
上記センサは、最適化検討の結果に応じて分布させることが好ましい。中継局をこれらのセンサ間に配置して、センサと中継局との間の平均距離を低減することが好ましい。
【００２０】
本発明の他の実現は、運動制御システムを作製する方法、機械振動を制御する方法、及び航空機構造内の振動を制御する方法を含む。
【００２１】
以上の一般的な説明、及び以下の詳細な説明は共に、本発明の好適例であり、請求項に記載する本発明の性質及び特徴を理解するための概要または枠組を提供することを意図していることは明らかである。図面は本発明のさらなる理解をもたらすべく含め、本明細書に含まれ、その一部を構成する。図面は本発明の種々の実施例を例示し、その説明と共に、本発明の原理及び動作を説明する。
【図面の簡単な説明】
【００２２】
【図１】コントローラを含む基地局と、複数のセンサ及び複数のアクチュエータに共に接続された中継局との間のデジタル処理リンクを示すブロック図である。
【図２】図１のデジタル処理リンクを組み込んだ能動平衡システムの図である。
【図３】コイルアセンブリ内に組み込まれた中継局の構成を示すブロック図である。
【図４】不平衡に対抗する力を生成するための平衡器のロータ位置を示す図である。
【図５】影響係数に基づく制御アルゴリズムのブロック図である。
【図６】スピンドル平衡器のデジタル処理リンクの電気回路図である。
【図７】機体の一部分中の航空機プロペラ平衡器の図である。
【図８】本発明によるデジタル処理リンクを組み込んだ能動振動制御システムのブロック図である。
【図９】図８の能動振動制御システムの制御アルゴリズムのブロック図である。
【発明を実施するための形態】
【００２３】
以下の詳細な説明では、本発明の追加的特徴及び利点を説明し、これらの特徴及び利点は部分的に、この説明より当業者がすぐに分かるか、あるいは、以下の詳細な説明、特許請求の範囲、並びに図面を含めた明細書に記載された発明を実施することによって認識される。
【００２４】
以下、図面に例示する本発明の好適な実施例を参照しながら詳細に説明する。
【００２５】
図１に示す好適なデジタル処理リンク１は、中継局１２を基地局１４と相互接続する。中継局１２は、複数のセンサ１６からの入力信号、及び複数のアクチュエータ１８への出力信号に共通のルーティングを提供する。中継局内では、マルチプレクサ／デマルチプレクサ２０、例えばデジタルマルチプレクサのフィールドプログラマブル・ゲートアレイが、複数のセンサからの入力信号を結合して、通信ノード２２に転送される単一の集合的センサ信号にする。センサ信号用のアナログ−デジタル変換器は、フィールドプログラマブル・ゲートアレイの形で実現することができ、あるいは、この目的用の専用回路を設けることができる。
【００２６】
通信ノード２２は、ＬＶＤＳ（low voltage differential signaling：低電圧差動信号伝達）で、あるいはイーサネット（登録商標）インターフェースとともにＲＳ４２２チップで実現することができ、上記集合的センサ信号を基地局１４に送信し、この送信は、この集合的センサ信号を、送信誤りを監視して再送信するための所定フォーマットを有する一連のフレームに変換する通信プロトコルに基づく。中継局１２と基地局１４とを相互接続する送受信ラインを含むツイスト配線対２４及び２６は、所定プロトコルに基づいて上記集合的センサ信号を伝達する。このプロトコルは、集合的センサ信号のエネルギー量をツイスト配線対２４、２６上で時間的に拡散して、電気的妨害を低減する。自動断路を含む保護回路２８を中継局１２に組み込んで、落雷または他のスプリアス（不要波）高電圧外乱に対するサージ保護を提供することができる。同様の保護回路３０を、基地局１４に設けることができる。
【００２７】
基地局１４内の同様の通信ノード３２は、通信プロトコルに基づいて上記集合的センサ信号を受信し、同様のデマルチプレクサ／マルチプレクサ３４は、この集合的センサ信号を別個に処理可能な複数のデジタル信号に分割する。コントローラ３６は、制御ソフトウェアに基づいて動作するデジタルシグナルプロセッサ（デジタル信号処理装置）を含み、個別のセンサ信号を受信して、アクチュエータ１８を制御するための複数の出力制御信号を発生する。参考文献として本明細書に含める米国特許第５７５７６６２号（特許文献２）及び第６２３６９３４号（特許文献３）は能動平衡器を記載し、これは不平衡補償器とも称し、不平衡に関するセンサ信号を、偏心的に駆動する質量アクチュエータ用の制御信号に変換するための制御構造及びアルゴリズムを有する。
【００２８】
デマルチプレクサ／マルチプレクサ３４は、複数の出力制御信号を結合して単一の集合的制御信号にし、この集合的制御信号は、通信ノード３２によって、ツイスト配線対２４、２６を通した中継局１２の通信ノード２２への通信プロトコルに基づく送信用に変換される。中継局１２のマルチプレクサ／デマルチプレクサ２０は、この集合的制御信号を複数の個別制御信号に分割し、これらの制御信号は別個に、複数のアクチュエータ１８に指向される。
【００２９】
デジタル処理リンク１０は、複数のセンサ信号及び複数の制御信号を共に、イーサネット（登録商標）プロトコルのような好適な通信プロトコルに基づいて伝達することができるが、デジタル処理リンク１０は、センサ信号のみ、または制御信号のみを伝達するように構成することもでき、あるいは、基地局を1つ以上の中継局と組み合わせて、センサ信号と制御信号とを別個に伝達することができる。
【００３０】
デジタル通信をサポートすることに加えて、デジタル処理リンク１０は、基地局１４から中継局１２への電力の伝送もサポートする。電源４０は基地局１４内に実装され、パワー・オーバー・イーサネット（登録商標）（ＰｏＥ：Power over Ethernet（登録商標））システムのような標準的な実現により、電気結合４２、４４を通してツイスト配線対２４、２６に別個に接続される。中継局１２内では、変換器４６が電気結合４８、５０を通して電力を受けて、1つ以上のセンサ１６、あるいは中継局１２内にあるか、さもなければ中継局１２に関連する他の装置に給電する。
【００３１】
デジタル処理リンク１０は、図２に示すような能動平衡システム６０の一部として実現される。ツール（工具）またはワークピース（加工片）のスピンドルのような回転器具内の不平衡は、多種の回転機械における有害な振動の大きな原因となり得る。対抗的な不平衡を生成することによって、例えば回転器具の質量の追加、除去、または再配分によって、補正が達成される。回転対称の回復は一般に、非対称の原因に近づくことに制約があることにより、大まかにしかできないことが多い。これに加えて、平衡器及び機械インピーダンスの動特性は、速度変化に適応するための不均衡補正を必要とし得る。
【００３２】
連続的平衡処理は能動平衡処理とも称し、変化する平衡要件に適応する。こうしたものとして、機械の動作中に、変化する状態についてのセンサ信号を伝達し、進行中の平衡補正を行うための制御信号を伝達するために、信頼性のある通信を必要とする。電子制御の工作機械、回転電源の航空機、または工業用送風機のような他の回転機械の電磁環境は、電気的妨害を生じさせて、センサ信号及び制御信号、特に、本質的に弱い信号または大きな距離を進む必要のある信号の伝送を乱し得る。
【００３３】
図２に示すように、図１のデジタル処理リンク１０は、能動平衡システム６０の重要部分として構成される。前部ベアリング６６及び後部ベアリング６８によって、回転軸６４の周りに回転するように支持される回転スピンドルまたはシャフト６２は回転体７０を担持し、回転体７０は、機械加工具（ツール）、ワークピース、プロペラ、または送風機の羽根を含む種々の形態をとることができる。振動検出センサ７２、７４は、加速度計の形態をとることができ、スピンドルまたはシャフト６２の回転によって加わる振動の大きさ及び位相に関する継続的な情報を提供する。必要に応じて、アナログ−デジタル変換器を中継局に組み込んで、センサ信号をデジタル形式に変換することができる。
【００３４】
補正は、前部平衡器８０及び後部平衡器８２によって与えられ、これらの平衡器は、前部ベアリング６６及び後部ベアリング６８に隣接する２つの横断面内で補正を与える。２つの平衡器８０、８２は、スピンドルまたはシャフト６２と一緒に回転する調整可能なロータ（回転子）アセンブリ８４、８８、及び平衡補正を行うための角度調整ロータをロータアセンブリ８４、８８内に提供するコイルアセンブリ８６、９０を含む。状態センサ９２、９４、９６、９８は、コイルアセンブリ８８、９０内に組み込まれて、スピンドルまたはシャフト６２及び平衡器８０、８２の性能について報告する。状態センサ９２、９４、９６、９８は、ロータの速度及び相対位置を監視するためのホール効果センサ、温度センサ、及びデジタル加速度計を含むことができ、これらは全てコイルアセンブリ８８、９０内に統合することが好ましい。
【００３５】
振動センサ７２、７４によって取得した振動情報、及び状態センサ９２、９４、９６、９８によって取得した状態情報は共に、図に示すように中継局１２に送られる。特に、平衡器８０、８２の一方だけを平衡動作を実行するために用いる場合は、中継局１２自体を、コイルアセンブリ８６、９０の一方に統合することができる（例えば、コイルアセンブリ内に存在する１つ以上のボード内に配置する）。
【００３６】
図１のデジタル処理リンクに関して説明したように、センサ信号どうしを結合し、デジタル通信プロトコルに基づいて基地局１４に集合的に送信し、基地局１４では、これらのセンサ信号を分離し、既知のアルゴリズムに従って処理して、アクチュエータ１８として機能するそれぞれのコイルアセンブリ８６、９０を動作させるための出力制御信号を発生する。これらの出力制御信号はコイルアセンブリ８６、９０に直接送ることができるが、基地局１４がこれらの制御信号を結合し、デジタル通信プロトコルに基づいて中継局に集合的に送信し、中継局でこれらの制御信号を分離して、それぞれのコイルアセンブリ８６、９０に更に送ることが好ましい。基地局１４をＰｏＥシステムと共に用いて、基地局１４と中継局１２との間のデジタル通信をサポートするのと同じ配線対２４、２６を通して電力を供給して、任意のセンサ７２、７４、９２、９４、９６、９８、あるいは中継局１２に関連する他の装置に電力を伝達することもできる。
【００３７】
組み込みソフトウェアを有するシステムコントローラ３６を含む基地局１４は、中継局１２から遠隔の場所に配置することができ、更には平衡を必要とする工作機械、航空機、または回転機械等のコントローラに組み込むこともできる。基地局と中継局との間の通信は、環境的な電気的外乱に対して保護され、それ自体は他の通信に対する電気的妨害を少ししか生じさせない。
【００３８】
図３に、平衡器のコイルアセンブリ内に組み込まれた中継局１００の構成を例示する。３つのホール効果センサ１０２、１０４、１０６、温度センサ１０８、及びデジタル加速度計１１０を示し、これらの全てが、好適にはフィールドプログラマブル・ゲートアレイ１１２内に実装されたマルチプレクサ／デマルチプレクサに接続されている。このフィールドプログラマブル・ゲートアレイ１１２には、デジタル加速度計１１０を駆動するための発振器１１４も結合されている。フィールドプログラマブル・ゲートアレイ１１２を駆動するための第２発振器（図示せず）を設けることができる。組み込みデジタル加速度計の代替または追加として、外部アナログ加速度計１１６を、信号調整器１１８及びアナログ−デジタル変換器１２０と共に用いて、フィールドプログラマブル・ゲートアレイ１１２に振動情報を提供することができる。種々のセンサ信号がフィールドプログラマブル・ゲートアレイ内で結合されて通信ノードに指向され、通信ノードはここでは、デジタル通信プロトコル（イーサネット（登録商標））に基づいて、配線対１２６を通して基地局（図示せず）にデータを送受信する一対のデジタル通信チップ１１２、１１４（例えばＬＶＤＳまたはＲＳ４２２）を含むものとして示す。
【００３９】
図２の能動平衡システム６０は、スピンドルまたはシャフト６２用の間隔をおいたベアリング支持体６６、６８に隣接する２つの平面内の能動平衡を例示する。しかし、不平衡なワークピースのように不平衡の原因の近くに配置されていれば、単一の平衡器でも、振動を誘発する不平衡を除去するのに十分であり得る。
【００４０】
図４に示すように、平衡器８０、８２の各々が、スピンドルまたはシャフト６２の回転軸６４の周りに角度調整可能な組み込みの不平衡を伴う２つのロータを含むことが好ましい。不平衡の設定は、（ａ）ロータを互いに対して角度調整して不平衡補正の大きさを調整し、（ｂ）これらのロータを一緒に、スピンドルまたはシャフト６２の軸６４の周りで調整して、この不平衡補正の角度配向または位相角を調整することによって達成される。
【００４１】
平衡器８０、８２は振動を検出し、不平衡調整を行って振動を低減する。コントローラ３６は加速度計の振動レベルを連続的に監視し、振動がソフトウェア中に設定された最大許容レベルを超えると、コントローラ３６は必要な不平衡補正の大きさ及び位相角を決定する。コントローラ３６から出力される制御信号を、平衡コイルアセンブリ８６、９０への精密に整形された電流パルスの形式にして、ロータを新たな角度位置に移動させることができる。振動レベルが最大許容レベルを下回ると、コントローラ３６からのさらなる入力をなくして、ロータは設定された角度位置に留まる。
【００４２】
平衡コイルアセンブリ８６、９０からの状態情報は、加速度計の振動信号と共に、コントローラ３６内の適合アルゴリズムへの入力を与える。好適なアルゴリズムは、システムの動的係数を計算し、コイルアセンブリ８６、９０に至る増幅器への出力制御信号を発生する。この出力制御信号は、重みを加えたロータアセンブリを所望の角度位置へ角度的にシフト（移動）させる。コイルアセンブリは、静止したフレームまたはハウジング（筐体）に固定され、作動電力は磁界形式で空隙を越えて渡される。永久磁石の使用は、外的電力なしに受動的に、カウンターウェイト（対抗荷重）ロータを定位置に固定することを可能にする。
【００４３】
制御アルゴリズムは、いわゆる「影響係数」の使用に基づくことが好ましく、影響係数は複素値の伝達関数係数であり、所定回転速度において、特定の平衡面からの不平衡入力を、関連する振動センサ７２または７４の定常状態出力に関係付ける。これらの影響係数は実験的に、あるいは適応制御法を通して得ることができる。例えば、複数の振動制御の各繰り返しの間に、振動データをサンプリングし、これらを復調して、複素値の音響振動を得ることができる。測定した振動データ及び記憶している影響係数に基づいて、コントローラは、検出した振動を最小化するのに必要な角度位置またはロータを計算する。コントローラは、各補正後に影響係数を再計算して、変化する状態に適応することが好ましい。図５に概略的に示す好適な制御アルゴリズムは、S. W. Dyer, W. Winzenz, 及びG. Billoudによる”Active In-Process Balanshing”と題した、XIIIth Symposium Vibrations, Shocks & Noise, Lyon France, 2002の予稿集（非特許文献１）に開示され、この刊行物は参考文献として本明細書に含める。
【００４４】
図６は、スピンドル平衡器用のデジタル処理リンクの電気回路図を提供する。
【００４５】
能動平衡システム６０は、Ｃ−１３０のような航空機及びＥ２Ｃ航空機プロペラ用の飛行中プロペラ平衡システム（ＩＰＢＳ：In-Flight Propeller Balancing Systems）に適用することができる。このシステムは、プロペラ及びギアボックスにおける、プロペラの静的または動的な不平衡によって生じ得るような１回転に１回（１Ｐ：once-per-revolution）の振動レベルを低減するように設計することができる。平衡システムの概略図を図７に示す。
【００４６】
平衡システムは自律的に動作して、地上待機中及び飛行中の動作中に共に、プロペラの不平衡を監視し、監視中の不平衡に対抗して振動を低減することが好ましい。飛行中の動作中には、航空機のプロペラは、外来物からの衝撃によって損傷し得る。この損傷はプロペラを不平衡にして、機内の騒音及び振動を生じさせる。必要な平衡補正は、異なるエンジン出力設定または空気力学的なプロペラ負荷に対しても変動し得る。可変ピッチプロペラ上では、ピッチ及び羽根の外径の小変更が、１回転に１回の振動を生じさせ得る。従って、異なる飛行状態における動的な平衡の変化を補償するためには、平衡器と平衡器コントローラとの間の重要な飛行中通信を伴う能動平衡が要求される。能動平衡システム６０は、静的及び空気力学的の両者の不平衡によって生じる１回転に１回の（１Ｐ）振動を低減することができ、これによりプロペラアセンブリ及び他のエンジン構成部品の寿命を改善する。
【００４７】
図８に示す能動振動制御システム１５０は、本発明によるデジタル処理リンク１５２からの同様の効果を得る。能動振動制御システム１５０は、固定翼機またはヘリコプターの機体に内蔵させることができる。
【００４８】
加速度計の形態のような複数の振動センサ１５４は、タコメータの形態のような速度センサ１５６と共に、継続的な振動に関する情報を収集し、この情報を中継局１５８に送る。特に図１の中継局１２関して説明したように、中継局１５８内には、複数の振動センサ信号と複数の速度センサ信号とを結合して集合的センサ信号にして、保護的なデジタル通信プロトコルに基づいて、配線対１６０で基地局１６２に送信する。
【００４９】
特に図１の基地局１４に関して説明したように、上記集合的センサ信号は、基地局１６２内で別個のセンサ信号に分割される。別個のセンサ信号は、基地局１６２内で従来アルゴリズムに従って処理されて、アクチュエータ１７０、１７２、１７４用の制御信号が出力される。これらの出力信号は、デジタル形式で共通バス１６４に沿って一連の増幅器１７６、１７８、１８０に伝達され、これらの増幅器は電源１８２から別個に電力を受けて、出力制御信号に従ってアクチュエータ１７０、１７２、１７４を駆動することが好ましい。
【００５０】
センサ及びアクチュエータの数は、特定用途に適応させる。アクチュエータ１７０、１７２、１７４は、機体のような振動構造１８４に固定され、直線振動または回転により電磁的に駆動される質量を含む電磁力発生器とすることができる。電気機械的アクチュエータは、機械的共振を利用して力をＮ／回転の周波数で増幅することが好ましい。ヘリコプター用途向けの代表的な同調周波数は、３００〜１２００ポンドの力において１７．２ヘルツ〜２８ヘルツである。
【００５１】
制御アルゴリズムは、時間領域のフィルタードＸ最小二乗平均（Ｆｉｌｔｅｒｅｄ−Ｘ  ＬＭＳ）に基づくことが好ましく、例えばノースカロライナ州ケーリーにあるロード社（Load Corporation）から入手可能なＤＣ−９及びサイテーションＸ（Citation X）を含む固定翼航空機用のＬＯＲＤ ＮＶＸＴＭシステムである。図９に、ＬＯＲＤ（登録商標）ＡＶＣＳにおいて使用されるＦｉｌｔｅｒｅｄ−Ｘ ＬＭＳアルゴリズムのブロック図を示す。
【００５２】
能動振動制御システムをヘリコプターまたは他の航空機に適応させるためのシステム設計プロセス（工程）は、３段階で実行することが好ましい。第１段階では、伝達関数を得て、種々の飛行状態における機体振動を測定する。第２段階では、この測定データを用いて、各アクチュエータの位置及び力の限度、及び各加速度計の位置を規定することによってシステムを最適化する。第３段階では、能動振動制御システムを航空機上に設置し、飛行試験を通して性能を実証する。
【００５３】
飛行中の振動の測定値並びに伝達関数は、あり得るアクチュエータ位置と制御加速度計位置との間で比較する。このデータは、最小離陸重量及び最大離陸重量を含む航空機の３通り以上の重量及び重心設定について収集することが好ましい。これらの設定毎に、飛行試験も実行して機内振動を測定する。一般に、各飛行は２０回の安定した（定常状態）及び過渡的な飛行状態から成る。
【００５４】
収集したデータを用いて最適化分析を実行して、センサ及びアクチュエータの適切な位置数を決定し、関連する振動低減性能及びそれに関連する重量ペナルティ（重量についての不利な条件）を予測する。能動振動制御システムのいくつかの異なる構成を設置して、飛行中の性能を実証することが好ましい。振動測定は、比較目的で、システム作動及び不作動で記録する。システム性能は、旋回及びフレアのような過渡状態下で試験する。システムの安定性及びトラッキングを評価して、最終的なソフトウェア調整を実行する。
【００５５】
デジタル処理リンク１５２は、デジタル処理リンク１０と同様に、センサまたは他の器具とコントローラとの間の長い配線長を解消することによって、重量、コスト、及び複雑性を低減することを期待され、そしてデジタル通信プロトコルを利用し、伝送の両端に保護回路を組み込むことによって信頼性を向上させることを期待される。
【００５６】
本発明の範囲を逸脱することなしに、本発明に種々の変更及び変形を加え得ることは、当業者にとって明らかである。従って、本発明は、こうした変更及び変形が特許請求の範囲及びその等価物の範囲内に入るならば、これらの変更及び変形を含むことを意図している。また、請求項中の異なる語句の範囲は、同一または異なる構造またはステップにより実現されることを意図している。
【図１】
2012502365.tif 000003
【図２】
2012502365.tif 000004
【図３】
2012502365.tif 000005
【図４】
2012502365.tif 000006
【図５】
2012502365.tif 000007
【図６】
2012502365.tif 000008
【図７】
2012502365.tif 000009
【図８】
2012502365.tif 000010
【図９】
2012502365.tif 000011
【国際調査報告】
2012502365.tif 000012
2012502365.tif 000013
2012502365.tif 000014